(57)【特許請求の範囲】
【請求項１】
Ｍｕｌｔｉｐｌｅ  Ｉｎｐｕｔ  Ｍｕｌｔｉｐｌｅ  Ｏｕｔｐｕｔ（ＭＩＭＯ）システム内の４アンテナ・ダウンリンク・チャネルに関するフィード・バックの方法であって、
ダウンリンク複数アンテナ・チャネルを検出するステップと、
前記検出の結果から推定された長期ブロードバンド・チャネル特性に従って、Ｒのランクに対応する第１レベル・コードブック内の第１の符号語を判定するステップであって、前記第１レベル・コードブック内の任意の符号語は対角行列であり、２つの同一の２×Ｃブロック行列は、対角線上に存在し、前記２×Ｃブロック行列のＣ個の列ベクトルは、Ｑ１個の離散フーリエ変換（ＤＦＴ）ビーム・ベクトルから選択される、判定するステップと、
前記第１の符号語のインデックスをフィード・バックするステップと、
前記検出の前記結果から推定された短期チャネル特性と前記第１の符号語とに従って、Ｒのランクに対応する第２レベル・コードブック内の第２の符号語を判定するステップであって、前記第２レベル・コードブック内の任意の符号語は、２Ｃ×Ｒ行列であり、前記２Ｃ×Ｒ行列の各列は、１つのＣ×１ビーム選択ベクトルから形成され、１つのＣ×１ビーム選択ベクトルは、位相オフセット情報を含む、判定するステップと、
前記第２の符号語のインデックスをフィード・バックするステップと、
を含み、
１のランクに対応して、前記第２レベル・コードブック内の任意の符号語の列ベクトルは、偏波ごとに独立に異なるＤＦＴビームを選択することとして構成され、
且つ、
２のランクに対応して、前記第２レベル・コードブック内の任意の符号語の列ベクトルは、偏波ごとに独立に異なるＤＦＴビームを選択し、且つ、レイヤごとに独立に同一のもしくは異なるＤＦＴビームを選択することとして構成される、
方法。
【請求項２】
Ｍｕｌｔｉｐｌｅ  Ｉｎｐｕｔ  Ｍｕｌｔｉｐｌｅ  Ｏｕｔｐｕｔ（ＭＩＭＯ）システム内の４アンテナ・ダウンリンク・チャネルに関するフィード・バックの装置であって、
ダウンリンク複数アンテナ・チャネルを検出するように構成された検出モジュールと、
前記検出の結果から推定された長期ブロードバンド・チャネル特性に従って、Ｒのランクに対応する第１レベル・コードブック内の第１の符号語を判定するように構成された第１の判定モジュールであって、前記第１レベル・コードブック内の任意の符号語は対角行列であり、２つの同一の２×Ｃブロック行列は、対角線上に存在し、前記２×Ｃブロック行列のＣ個の列ベクトルは、Ｑ１個の離散フーリエ変換（ＤＦＴ）ビーム・ベクトルから選択される、第１の判定モジュールと、
前記第１の符号語のインデックスをフィード・バックするように構成されたフィードバック・モジュールと、
前記検出の前記結果から推定された短期チャネル特性と前記第１の符号語とに従って、Ｒのランクに対応する第２レベル・コードブック内の第２の符号語を判定するように構成された第２の判定モジュールであって、前記第２レベル・コードブック内の任意の符号語は、２Ｃ×Ｒ行列であり、前記２Ｃ×Ｒ行列の各列は、１つのＣ×１ビーム選択ベクトルから形成され、１つのＣ×１ビーム選択ベクトルは、位相オフセット情報を含む、第２の判定モジュールと、
を含み、前記フィードバック・モジュールは、前記第２の符号語のインデックスをフィード・バックするようにさらに構成され、
１のランクに対応して、前記第２レベル・コードブック内の任意の符号語の列ベクトルは、偏波ごとに独立に異なるＤＦＴビームを選択することとして構成され、
且つ、
２のランクに対応して、前記第２レベル・コードブック内の任意の符号語の列ベクトルは、偏波ごとに独立に異なるＤＦＴビームを選択し、且つ、レイヤごとに独立に同一のもしくは異なるＤＦＴビームを選択することとして構成される、
装置。
【請求項３】
前記第１レベル・コードブック内の符号語の列ベクトルは、等しいストライドを有するＤＦＴビーム・ベクトルとお互いに直交するＤＦＴビーム・ベクトルとを含み、あるいは、等しいストライドを有するＤＦＴビーム・ベクトルを含むがお互いに直交するＤＦＴビーム・ベクトルを含まない、請求項２に記載の装置。
【請求項４】
２のランクに対応して、前記第２レベル・コードブック内の任意の符号語の列ベクトルは、レイヤごとに同一のＤＦＴビームを選択することとして構成される、請求項２に記載の装置。
【請求項５】
３または４のランクに対応する第１レベル・コードブックは、１または２のランクに対応する第１レベル・コードブックの真部分集合である、請求項２に記載の装置。
【請求項６】
３または４のランクに対応して、前記２×Ｃブロック行列の列ベクトルは、お互いに直交するＤＦＴビーム・ベクトルを含み、前記第２レベル・コードブック内の任意の符号語の列ベクトルは、偏波ごとに独立に同一のもしくは異なるＤＦＴビームを選択することとして構成され、または偏波ごとに同一のＤＦＴビームを選択することとして構成される、請求項２に記載の装置。
【請求項７】
請求項２乃至６のいずれか１項に記載の装置を含むユーザ機器。
【請求項８】
Ｍｕｌｔｉｐｌｅ  Ｉｎｐｕｔ  Ｍｕｌｔｉｐｌｅ  Ｏｕｔｐｕｔ（ＭＩＭＯ）システム内の４つの送信アンテナを有する基地局で使用される方法であって、
ユーザ機器によってフィード・バックされる、ダウンリンク送信のランク、第１レベル・コードブック内の第１の符号語のインデックス、および第２レベル・コードブック内の第２の符号語のインデックスを受信するステップであって、前記第１レベル・コードブック内の任意の符号語は対角行列であり、２つの同一の２×Ｃブロック行列は、対角線上に存在し、前記２×Ｃブロック行列のＣ個の列ベクトルは、Ｑ１個の離散フーリエ変換（ＤＦＴ）ビーム・ベクトルから選択され、前記第２レベル・コードブック内の任意の符号語は、２Ｃ×Ｒ行列であり、前記２Ｃ×Ｒ行列の各列は、１つのＣ×１ビーム選択ベクトルから形成され、１つのＣ×１ビーム選択ベクトルは、位相オフセット情報を含む、受信するステップと、
前記ランク、前記第１符号語の前記インデックス、および前記第２符号語の前記インデックスに従ってダウンリンク・チャネル特性を判定するステップと、
を含み、
１のランクに対応して、前記第２レベル・コードブック内の任意の符号語の列ベクトルは、偏波ごとに独立に異なるＤＦＴビームを選択することとして構成され、
且つ、
２のランクに対応して、前記第２レベル・コードブック内の任意の符号語の列ベクトルは、偏波ごとに独立に異なるＤＦＴビームを選択し、且つ、レイヤごとに独立に同一のもしくは異なるＤＦＴビームを選択することとして構成される、
方法。
【請求項９】
Ｍｕｌｔｉｐｌｅ  Ｉｎｐｕｔ  Ｍｕｌｔｉｐｌｅ  Ｏｕｔｐｕｔ（ＭＩＭＯ）システム内の４つの送信アンテナを有する基地局で使用される装置であって、
ユーザ機器によってフィード・バックされる、ダウンリンク送信のランク、第１レベル・コードブック内の第１の符号語のインデックス、および第２レベル・コードブック内の第２の符号語のインデックスを受信するように構成された受信モジュールであって、前記第１レベル・コードブック内の任意の符号語は対角行列であり、２つの同一の２×Ｃブロック行列は、対角線上に存在し、前記２×Ｃブロック行列のＣ個の列ベクトルは、Ｑ１個の離散フーリエ変換（ＤＦＴ）ビーム・ベクトルから選択され、前記第２レベル・コードブック内の任意の符号語は、２Ｃ×Ｒ行列であり、前記２Ｃ×Ｒ行列の各列は、１つのＣ×１ビーム選択ベクトルから形成され、１つのＣ×１ビーム選択ベクトルは、位相オフセット情報を含む、受信モジュールと、
前記ランク、前記第１符号語の前記インデックス、および前記第２符号語の前記インデックスに従ってダウンリンク・チャネル特性を判定するように構成されたチャネル特性判定モジュールと、
を含み、
１のランクに対応して、前記第２レベル・コードブック内の任意の符号語の列ベクトルは、偏波ごとに独立に異なるＤＦＴビームを選択することとして構成され、
且つ、
２のランクに対応して、前記第２レベル・コードブック内の任意の符号語の列ベクトルは、偏波ごとに独立に異なるＤＦＴビームを選択し、且つ、レイヤごとに独立に同一のもしくは異なるＤＦＴビームを選択することとして構成される、
装置。
【請求項１０】
前記第１レベル・コードブック内の符号語の列ベクトルは、等しいストライドを有するＤＦＴビーム・ベクトルと互いに直交するＤＦＴビーム・ベクトルとを含み、あるいは、等しいストライドを有するＤＦＴビーム・ベクトルを含むがお互いに直交するＤＦＴビーム・ベクトルを含まない、請求項９に記載の装置。
【請求項１１】
２のランクに対応して、前記第２レベル・コードブック内の任意の符号語の列ベクトルは、レイヤごとに同一のＤＦＴビームを選択することとして構成される、請求項９に記載の装置。
【請求項１２】
３または４のランクに対応する第１レベル・コードブックは、１または２のランクに対応する第１レベル・コードブックの真部分集合である、請求項９に記載の装置。
【請求項１３】
請求項９乃至１２のいずれか１項に記載の装置を含む基地局機器。
【発明の詳細な説明】
【技術分野】
【０００１】
本発明は、全般的にはモバイル通信の技術に関し、より具体的には、ｍｕｌｔｉｐｌｅ  ｕｓｅｒ  ｍｕｌｔｉｐｌｅ  ｉｎｐｕｔ  ｍｕｌｔｉｐｌｅ  ｏｕｔｐｕｔ（ＭＵ  ＭＩＭＯ）伝送技術に関する。
【背景技術】
【０００２】
Ｌｏｎｇ  Ｔｅｒｍ  Ｅｖｏｌｕｔｉｏｎ（ＬＴＥ）Ｒｅｌｅａｓｅ  １０（Ｒ１０）システムでは、基地局すなわちｅｖｏｌｖｅｄ  ＮｏｄｅＢ（ｅＮＢ）が、４アンテナ交差偏波アンテナ・アレイのセッティングを採用する時に、Ｒｅｌｅａｓｅ  １０コードブックがアンテナのそのようなセッティングに関して十分に正確ではないので、ダウンリンクＭＵ  ＭＩＭＯの効果が、期待されるほど望ましくはなく、これが、ＭＵ  ＭＩＭＯ応用を大幅に制限している。
【発明の概要】
【発明が解決しようとする課題】
【０００３】
１つの主要な目的は、ＭＩ−ＭＩＭＯシステムでのコードブック・フィードバックのための新しい技術的解決策を提供し、従来技術の前述の欠陥を克服することである。
【課題を解決するための手段】
【０００４】
一実施形態は、Ｍｕｌｔｉｐｌｅ  Ｉｎｐｕｔ  Ｍｕｌｔｉｐｌｅ  Ｏｕｔｐｕｔ（ＭＩＭＯ）システム内の４アンテナ・ダウンリンク・チャネルに関するフィード・バックの方法であって、ダウンリンク複数アンテナ・チャネルを検出するステップと、検出の結果から推定された長期ブロードバンド・チャネル特性に従って、Ｒのランクに対応する第１レベル・コードブック内の第１の符号語を判定するステップであって、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個の離散フーリエ変換（ＤＦＴ）ビーム・ベクトルから選択される、判定するステップと、第１の符号語のインデックスをフィード・バックするステップと、検出の結果から推定された短期チャネル特性と第１の符号語とに従ってＲのランクに対応する第２レベル・コードブック内の第２の符号語を判定するステップであって、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む、判定するステップと、第２の符号語のインデックスをフィード・バックするステップとを含む方法を提供する。
【０００５】
前述の方法の一実施形態は、ダウンリンク送信のランクを判定するステップをさらに含む。
【０００６】
もう１つの実施形態は、ＭＩＭＯシステム内の４アンテナ・ダウンリンク・チャネルに関するフィード・バックの装置であって、ダウンリンク複数アンテナ・チャネルを検出するように構成された検出モジュールと、検出の結果から推定された長期ブロードバンド・チャネル特性に従って、Ｒのランクに対応する第１レベル・コードブック内の第１の符号語を判定するように構成された第１の判定モジュールであって、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個のＤＦＴビーム・ベクトルから選択される、第１の判定モジュールと、第１の符号語のインデックスをフィード・バックするように構成されたフィードバック・モジュールと、検出の結果から推定された短期チャネル特性と第１の符号語とに従ってＲのランクに対応する第２レベル・コードブック内の第２の符号語を判定するように構成された第２の判定モジュールであって、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む、第２の判定モジュールとを含み、フィードバック・モジュールは、第２の符号語のインデックスをフィード・バックするようにさらに構成される装置を提供する。
【０００７】
前述の装置の一実施形態は、ダウンリンク送信のランクを判定するように構成された第３の判定モジュールをさらに含む。
【０００８】
一実施形態は、前述の装置を含むユーザ機器を提供する。
【０００９】
さらにもう１つの実施形態は、ＭＩＭＯシステム内の４つの送信アンテナを有する基地局で使用される方法であって、ユーザ機器によってフィード・バックされる、ダウンリンク送信のランク、第１レベル・コードブック内の第１の符号語のインデックス、および第２レベル・コードブック内の第２の符号語のインデックスを受信するステップであって、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個のＤＦＴビーム・ベクトルから選択され、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む、受信するステップと、ランク、第１符号語のインデックス、および第２符号語のインデックスに従ってダウンリンク・チャネル特性を判定するステップとを含む方法を提供する。
【００１０】
さらなる実施形態は、ＭＩＭＯシステム内の４つの送信アンテナを有する基地局で使用される装置であって、ユーザ機器によってフィード・バックされる、ダウンリンク送信のランク、第１レベル・コードブック内の第１の符号語のインデックス、および第２レベル・コードブック内の第２の符号語のインデックスを受信するように構成された受信モジュールであって、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個のＤＦＴビーム・ベクトルから選択され、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む、受信モジュールと、ランク、第１符号語のインデックス、および第２符号語のインデックスに従ってダウンリンク・チャネル特性を判定するように構成されたチャネル特性判定モジュールとを含む装置を提供する。
【００１１】
一実施形態は、前述の装置を含むユーザ機器を提供する。
【００１２】
方法、装置、および機器のいくつかの実施形態では、第１レベル・コードブック内の符号語の列ベクトルは、等しいストライドを有するＤＦＴビーム・ベクトルとお互いに直交するＤＦＴビーム・ベクトルとを含み、あるいは、等しいストライドを有するＤＦＴビーム・ベクトルを含むがお互いに直交するＤＦＴビーム・ベクトルを含まない。
【００１３】
前述の方法、装置、および機器のいくつかの他の実施形態では、１のランクに対応して、第２レベル・コードブック内の任意の符号語の列ベクトルは、偏波ごとに独立に同一のまたは異なるＤＦＴビームを選択することとして構成され、あるいは、偏波ごとに同一のＤＦＴビームを選択することとして構成される。
【００１４】
前述の方法、装置、および機器のいくつかの他の実施形態では、２のランクに対応して、第２レベル・コードブック内の任意の符号語の列ベクトルは、偏波ごとに独立に同一のもしくは異なるＤＦＴビームを選択することとレイヤごとに同一のＤＦＴビームを選択することとして構成され、または、レイヤごとに独立に同一のもしくは異なるＤＦＴビームを選択することと偏波ごとに同一のＤＦＴビームを選択することとして構成され、または、偏波ごとに独立に同一のもしくは異なるＤＦＴビームを選択することとレイヤごとに独立に同一のもしくは異なるＤＦＴビームを選択することとして構成され、または、偏波ごとに同一のＤＦＴビームを選択することとレイヤごとに同一のＤＦＴビームを選択することとして構成される。
【００１５】
前述の方法、装置、および機器のさらにいくつかの実施形態では、３または４のランクに対応する第１レベル・コードブックは、１または２のランクに対応する第１レベル・コードブックの真部分集合である。
【００１６】
前述の方法、装置、および機器のいくつかのさらなる実施形態では、３または４のランクに対応して、２×Ｃブロック行列の列ベクトルは、お互いに直交するＤＦＴビーム・ベクトルを含み、第２レベル・コードブック内の任意の符号語の列ベクトルは、偏波ごとに独立に同一のもしくは異なるＤＦＴビームを選択することとして構成され、または偏波ごとに同一のＤＦＴビームを選択することとして構成される。
【００１７】
前述の技術的解決策は、２レベル・コードブック・インデックス・フィードバックにおいて直交ＤＦＴビーム選択を導入し、したがって、４ダウンリンク送信アンテナの交差偏波構成のＭＩＭＯ応用により適切になる。
【００１８】
本発明の技術的特徴および利点を、本発明の以下の詳細な例示をよりわかりやすくするために、上で短く示した。本発明の他の特徴および利点は、本発明の特許請求の範囲の主題を構成する、以下で説明される。当業者は、開示される概念および実施形態を、本発明の目的と同一の目的を実装するための他の構造またはプロセスの変更または設計のための基礎として簡単に使用できることを理解するに違いない。当業者は、さらに、そのような同等の構造が、添付の特許請求の趣旨および範囲から逸脱しないことを理解するであろう。
【００１９】
添付図面を参照することによって、本発明に関する好ましい実施形態の以下の詳細な説明が、よりわかりやすくなる。本発明は、添付図面によって、限定されるのではなく例示的に示され、添付図面内の同様の符号は、同様の構成要素を表す。
【図面の簡単な説明】
【００２０】
【図１】本発明の実施形態による応用シナリオを示す図である。
【図２】本発明の実施形態によるＭＩＭＯシステムでの４アンテナ・ダウンリンク・チャネルのフィード・バックに適する方法を示す流れ図である。
【図３】本発明の実施形態によるＭＩＭＯシステムでの４アンテナ・ダウンリンク・チャネルのフィード・バックに適する装置を示す概略構造図である。
【図４】本発明の実施形態によるＭＩＭＯシステム内の４つの送信アンテナを有する基地局に適する方法を示す流れ図である。
【図５】本発明の実施形態によるＭＩＭＯシステム内の４つの送信アンテナを有する基地局に適する装置を示す概略構造図である。
【発明を実施するための形態】
【００２１】
添付図面の詳細な説明は、本発明を実装する唯一の形態を示すことではなく、本発明の現在好ましい実施形態の例示であることを意図されている。同一のまたは同等の機能を、本発明の趣旨および範囲に含まれるべき異なる実施形態によって達成できることを理解されたい。
【００２２】
当業者は、本明細書で説明される手段および機能を、プログラム制御マイクロプロセッサおよび汎用コンピュータを組み合わせたソフトウェア機能を使用して実装し、かつ／または特定用途向け集積回路（ＡＳＩＣ）を使用して実装することができることを理解するであろう。さらに、本発明が、主に方法および装置の形で説明されるが、本発明が、コンピュータ・プログラムとして、また、コンピュータ・プロセッサおよびプロセッサに接続されたメモリを含むシステムとしても実装され得、メモリが、本明細書で開示される機能を達成する１つまたは複数のプログラムによって符号化されることを理解されたい。
【００２３】
図１は、本発明の実施形態による応用シナリオの概略図である。本発明の技術的解決策は、ＭＩＭＯシステムに適する。図１に示されているように、このシナリオは、基地局機器１とユーザ機器２とを含む。本発明の技術的解決策は、たとえば、いかなる限定もなしに、基地局機器１とユーザ機器２との間でのｐｒｅｃｏｄｉｎｇ  ｍａｔｒｉｘ  ｉｎｄｅｘ（ＰＭＩ）のフィード・バックに適する。当業者は、本明細書で述べられる基地局または基地局機器が、たとえばＬＴＥシステムまたはＬＴＥ−ＡシステムのＮｏｄｅＢまたはｅｖｏｌｖｅｄ  ＮｏｄｅＢ（ｅＮＢ）であるが、これに限定されないことを理解するであろう。本発明の技術的解決策は、適用可能なＬＴＥシステムまたはＬＴＥ−Ａシステムにも限定されない。本明細書のインデックス・フィードバックは、２レベル・コードブック解決策を採用し、完全な符号語Ｗは、ダウンリンク・チャネル特性に対応し、これを式Ｗ＝Ｗ１＊Ｗ２によって表すことができる。第１の符号語Ｗ１は、第１レベル・コードブックＢ１からとられ、長期ブロードバンド・チャネル特性を示すように構成される。第２の符号語Ｗ２は、第２レベル・コードブックＢ２からとられ、短期ブロードバンド・チャネル特性を示すように構成される。第２の符号語は、ユーザ機器のサービス需要に従う複数の対応するサブバンド上でのチャネル検出を介して入手され、しばしば、複数の対応するサブバンドのチャネル特性を示すように構成もされる。第１の符号語は、長い期間によってフィード・バックされ得るが、第２の符号語は、短い期間によってフィード・バックされ得る。
【００２４】
図２は、本発明の実施形態によるＭＩＭＯシステムでの４アンテナ・ダウンリンク・チャネルのフィード・バックに適する方法の流れ図である。図２に示されているように、方法２０は、ユーザ機器２によって実行されるステップ２１、２２、２３、２４、および２５を含む。
【００２５】
ステップ２１では、ユーザ機器２が、ダウンリンク複数アンテナ・チャネルを検出する。たとえば、限定なしに、ユーザ機器２によって検出されるダウンリンク複数アンテナ・チャネルの複数のアンテナは、基地局機器１のすべての送信アンテナである。
【００２６】
ステップ２２では、ユーザ機器２が、検出の結果から推定された長期ブロードバンド・チャネル特性に従って、Ｒのランクに対応する第１レベル・コードブック内の第１の符号語を判定し、第１レベル・コードブック内の任意の符号語は、４つの対角行列であり、２つの同一の２×Ｃブロック行列が、対角線上に存在し、２×Ｃブロック行列のＣ個の列ベクトルが、Ｑ１個のＤＦＴビーム・ベクトルから選択される。
【００２７】
ステップ２３では、ユーザ機器２が、第１の符号語のインデックスをフィード・バックする。
【００２８】
ステップ２４では、ユーザ機器２が、検出の結果から推定された短期チャネル特性と第１の符号語とに従って、Ｒのランクに対応する第２レベル・コードブック内の第２の符号語を判定し、第２レベル・コードブック内の任意の符号語は、２Ｃ×Ｒ行列であり、この２Ｃ×Ｒ行列の各列は、１つのＣ×１ビーム選択ベクトルから形成され、１つのＣ×１ビーム選択ベクトルは、位相オフセット情報を含む。
【００２９】
ステップ２５では、ユーザ機器２が、第２の符号語のインデックスをフィード・バックする。
【００３０】
いくつかの場合に、前述の方法２０は、さらに、ユーザ機器２がダウンリンク送信のランクＲを判定するステップ２６を含む。４ダウンリンク送信アンテナの環境では、Ｒは、１、２、３、または４になる可能性がある。ステップ２６は、通常はステップ２２の前に実行される。
【００３１】
図３は、本発明の実施形態によるＭＩＭＯシステムでの４アンテナ・ダウンリンク・チャネルのフィード・バックに適する装置３０の概略構造図である。図３に示されているように、装置３０は、検出モジュール３１、第１の判定モジュール３２、第２の判定モジュール３３、およびフィードバック・モジュール３４を含む。装置３０は、通常はユーザ機器２内で構成される。
【００３２】
検出モジュール３１は、ダウンリンク複数アンテナ・チャネルを検出するように構成される。
【００３３】
第１の判定モジュール３２は、検出の結果から推定された長期ブロードバンド・チャネル特性に従って、Ｒのランクに対応する第１レベル・コードブック内の第１の符号語を判定するように構成され、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個のＤＦＴビーム・ベクトルから選択される。
【００３４】
フィードバック・モジュール３４は、第１の符号語のインデックスをフィード・バックするように構成される。
【００３５】
第２の判定モジュール３３は、検出の結果から推定された短期チャネル特性と第１の符号語とに従ってＲのランクに対応する第２レベル・コードブック内の第２の符号語を判定するように構成され、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む。
【００３６】
フィードバック・モジュール３４は、第２の符号語のインデックスをフィード・バックするようにさらに構成される。
【００３７】
いくつかの場合に、装置３０は、さらに、ダウンリンク送信のランクＲを判定するように構成された第３の判定モジュール３５を含む。４ダウンリンク送信アンテナの環境では、Ｒは、１、２、３、または４になる可能性がある。ランクＲは、通常は第１の符号語および第２の符号語が判定される前に判定される。
【００３８】
図４は、本発明の実施形態によるＭＩＭＯシステム内の４つの送信アンテナを有する基地局に適する方法の流れ図である。図４に示されているように、方法４０は、基地局機器１によって実行されるステップ４１および４２を含む。
【００３９】
ステップ４１では、基地局機器１が、ユーザ機器によってフィード・バックされる、ダウンリンク送信のランク、第１レベル・コードブック内の第１の符号語のインデックス、および第２レベル・コードブック内の第２の符号語のインデックスを受信し、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個のＤＦＴビーム・ベクトルから選択され、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む。
【００４０】
ステップ４２では、基地局機器１が、ランク、第１符号語のインデックス、および第２符号語のインデックスに従ってダウンリンク・チャネル特性を判定する。
【００４１】
図５は、本発明の実施形態によるＭＩＭＯシステム内の４つの送信アンテナを有する基地局に適する装置５０の概略構造図である。図５に示されているように、装置５０は、受信モジュール５１およびチャネル特性判定モジュール５２を含む。装置５０は、通常は基地局機器１内で構成される。
【００４２】
受信モジュール５１は、ユーザ機器によってフィード・バックされる、ダウンリンク送信のランク、第１レベル・コードブック内の第１の符号語のインデックス、および第２レベル・コードブック内の第２の符号語のインデックスを受信するように構成され、第１レベル・コードブック内の任意の符号語は、４つの対角行列であり、２つの同一の２×Ｃブロック行列は、対角線上に存在し、２×Ｃブロック行列のＣ個の列ベクトルは、Ｑ１個のＤＦＴビーム・ベクトルから選択され、第２レベル・コードブック内の任意の符号語は、２Ｃ×Ｒ行列であり、２Ｃ×Ｒ行列の各列は、１つのＣ×１ビーム選択ベクトルから形成され、１つのＣ×１ビーム選択ベクトルは、位相オフセット情報を含む。
【００４３】
チャネル特性判定モジュール５２は、ランク、第１符号語のインデックス、および第２符号語のインデックスに従ってダウンリンク・チャネル特性を判定するように構成される。
【００４４】
いくつかの実施形態では、１のランクを有するコードブックおよび２のランクを有するコードブックは、同一の第１レベル・コードブックＢ１を採用し、ここで、Ｂ１内の符号語の総数Ｎ１は１６であり、これに関して、４ビット符号化が、インデックス・フィードバックのために採用される。Ｂ１の設計に関して、次の変数が検討される必要があり、この変数は、各ブロック行列のビーム集合のサイズＣと、ビーム粒度Ｑ１と、ビーム選択（α１，ｎ，α２，ｎ，…，αＣ，ｎ）と、ビーム・オーバーラップとを含む。
【００４５】
異なる組合せを考慮した複数のオプションのコードブック解決策が、以下のように提供される。
【００４６】
実施形態１．１では、第１の符号語Ｗ１内の対角線上のブロック行列内のビーム集合のサイズＣは４であり、ビーム粒度Ｑ１は１６であり、ビーム選択は、（α１，ｎ，α２，ｎ，α３，ｎ，α４，ｎ）＝（ｎ，ｎ＋１，ｎ＋８，ｎ＋９）になるようにセットされ、ｎは０と１５との間の値である。ビーム集合は、隣接ＤＦＴビームと直交ＤＦＴビームとを含む。隣接ビームの間のビーム・ギャップは、２π／１６であり、直交ビームの間のギャップは、πである。任意の符号語Ｗ１は、
【００４７】
【数１】
0006339666.tif 000002
と表される。
【００４８】
２つのＤＴＦビームが、２つの隣接する符号語内でオーバーラップされ、Ｂ１内の符号語の半分が、繰返しである。そのような第１レベル・コードブックは、冗長である。
【００４９】
実施形態１．２では、第１の符号語Ｗ１内の対角線上のブロック行列内のビーム集合のサイズＣは４であり、ビーム粒度Ｑ１は１６であり、ビーム選択は、（α１，ｎ，α２，ｎ，α３，ｎ，α４，ｎ）＝（ｎ，ｎ＋１，ｎ＋２，ｎ＋３）になるようにセットされ、ｎは０と１５との間の値である。ビーム集合は、等しいストライドを有するＤＦＴビームを含み、隣接ビームの間のビーム・ギャップは、２π／１６である。任意の符号語Ｗ１は、
【００５０】
【数２】
0006339666.tif 000003
と表される。
【００５１】
３つのＤＦＴビームが、２つの隣接する符号語内でオーバーラップされ、Ｂ１内の符号語は、お互いと異なる。そのような第１レベル・コードブックは、冗長ではない。
【００５２】
実施形態１．３では、第１の符号語Ｗ１内の対角線上のブロック行列内のビーム集合のサイズＣは４であり、ビーム粒度Ｑ１は３２であり、ビーム選択は、（α１，ｎ，α２，ｎ，α３，ｎ，α４，ｎ）＝（ｎ，ｎ＋１，ｎ＋１６，ｎ＋１７）になるようにセットされ、ｎは０と１５との間の値である。ビーム集合は、隣接ＤＦＴビームと直交ＤＦＴビームとを含む。隣接ビームの間のビーム・ギャップは、２π／３２であり、直交ビームの間のギャップは、πである。任意の符号語Ｗ１は、
【００５３】
【数３】
0006339666.tif 000004
と表される。
【００５４】
２つのＤＦＴビームが、２つの隣接する符号語内でオーバーラップされ、Ｂ１内の符号語は、お互いと異なる。そのような第１レベル・コードブックは、冗長ではない。
【００５５】
実施形態１．４では、第１の符号語Ｗ１内の対角線上のブロック行列内のビーム集合のサイズＣは４であり、ビーム粒度Ｑ１は３２であり、ビーム選択は、（α１，ｎ，α２，ｎ，α３，ｎ，α４，ｎ）＝（２ｎ，２ｎ＋１，２ｎ＋１６，２ｎ＋１７）になるようにセットされ、ｎは０と１５との間の値である。ビーム集合は、隣接ＤＦＴビームと直交ＤＦＴビームとを含む。隣接ビームの間のビーム・ギャップは、２π／３２であり、直交ビームの間のギャップは、πである。任意の符号語Ｗ１は、
【００５６】
【数４】
0006339666.tif 000005
と表される。
【００５７】
ＤＦＴビームは、２つの隣接する符号語内でオーバーラップされず、Ｂ１内の符号語の半分が、繰返しである。そのような第１レベル・コードブックは、冗長である。
【００５８】
実施形態１．５では、第１の符号語Ｗ１内の対角線上のブロック行列内のビーム集合のサイズＣは４であり、ビーム粒度Ｑ１は３２であり、ビーム選択は、（α１，ｎ，α２，ｎ，α３，ｎ，α４，ｎ）＝（２ｎ，２ｎ＋１，２ｎ＋２，２ｎ＋３）になるようにセットされ、ｎは０と１５との間の値である。ビーム集合は、等しいストライドを有するＤＦＴビームを含む。隣接ビームの間のビーム・ギャップは、２π／３２である。任意の符号語Ｗ１は、
【００５９】
【数５】
0006339666.tif 000006
と表される。
【００６０】
２つのＤＦＴビームが、２つの隣接する符号語内でオーバーラップされ、Ｂ１内の符号語は、お互いと異なる。そのような第１レベル・コードブックは、冗長ではない。
【００６１】
実施形態１．６では、第１の符号語Ｗ１内の対角線上のブロック行列内のビーム集合のサイズＣは２であり、ビーム粒度Ｑ１は１６であり、ビーム選択は、（α１，ｎ，α２，ｎ）＝（ｎ，ｎ＋１）になるようにセットされ、ｎは０と１５との間の値である。ビーム集合は、２つの隣接ＤＦＴビームを含み、その間のビーム・ギャップは、２π／１６である。任意の符号語Ｗ１は、
【００６２】
【数６】
0006339666.tif 000007
と表される。
【００６３】
１つのＤＦＴビームだけが、２つの隣接する符号語内でオーバーラップされ、Ｂ１内の符号語は、お互いと異なる。そのような第１レベル・コードブックは、冗長ではない。
【００６４】
実施形態１．７では、第１の符号語Ｗ１内の対角線上のブロック行列内のビーム集合のサイズＣは２であり、ビーム粒度Ｑ１は３２であり、ビーム選択は、（α１，ｎ，α２，ｎ）＝（ｎ，ｎ＋１６）になるようにセットされ、ｎは０と１５との間の値である。ビーム集合は、直交ＤＦＴビームを含み、ビーム・ギャップは、πである。任意の符号語Ｗ１は、
【００６５】
【数７】
0006339666.tif 000008
と表される。
【００６６】
ＤＦＴビームは、各符号語内でオーバーラップされず、Ｂ１内の符号語は、お互いと異なる。そのような第１レベル・コードブックは、冗長ではない。
【００６７】
実施形態１．８では、第１の符号語Ｗ１内の対角線上のブロック行列内のビーム集合のサイズＣは２であり、ビーム粒度Ｑ１は１６であり、ビーム選択は、（α１，ｎ，α２，ｎ）＝（２ｎ，２ｎ＋１）になるようにセットされ、ｎは０と１５との間の値である。ビーム集合は、隣接ＤＦＴビームを含み、ビーム・ギャップは、２π／３２である。任意の符号語Ｗ１は、
【００６８】
【数８】
0006339666.tif 000009
と表される。
【００６９】
ＤＦＴビームは、各符号語内でオーバーラップされず、Ｂ１内の符号語は、お互いと異なる。そのような第１レベル・コードブックは、冗長ではない。
【００７０】
他の実施形態では、第１の符号語Ｗ１内の対角線上のブロック行列内のビーム集合のサイズＣは、２または４であり、ビーム集合は、等しいストライドを有するかお互いに直交する複数のＤＦＴビームを含む。直交ビームは、πの固定ギャップを有し、ビーム粒度Ｑ１が３２の時には、等しいストライドを有するＤＦＴビームの間のギャップを、２ｍπ／３２（ｍは、１と１５との間の乱数値）とすることができ、ビーム粒度Ｑ１が１６の時には、ギャップを、２ｍπ／１６（ｍは、１と７との間の乱数値）とすることができる。
【００７１】
第２の符号語Ｗ２の１のランクを有する第２レベル・コードブックＢ２について、異なる偏波のビーム選択方法を、第１レベル・コードブックの構造に従って考慮しなければならない。１のランクを有する第２レベル・コードブックの複数の解決策は、以下のように提供される。
【００７２】
実施形態２．１では、ブロック行列Ｘｎ内のビーム集合のサイズＣは、４であり、同一のまたは異なるＤＦＴビームが、偏波ごとに独立に選択される、すなわち、符号語Ｗ２の任意の列内のｙ１およびｙ２は、同一または異なるのいずれかであり、そのような第２レベル・コードブックは、冗長である第１レベル・コードブックＢ１と一致するのに適する。１のランクに対応する第２レベル・コードブック内の符号語の個数Ｎ２は、１６であり、４ビットが、インデックス・フィードバックのために採用され、ここで、ビーム選択および位相オフセット情報は、それぞれ４つのオプションを有し、これに関して、それぞれ、４ビットが、インデックス・フィードバックのために採用される。第２レベル・コードブックＢ２内の任意の符号語Ｗ２は、
【００７３】
【数９】
0006339666.tif 000010
と表される。
【００７４】
実施形態２．２では、ブロック行列Ｘｎ内のビーム集合のサイズＣは、４であり、同一のＤＦＴビームが、偏波ごとに選択される、すなわち、第２の符号語Ｗ２の任意の列内のｙ１およびｙ２は、同一であり、そのような第２レベル・コードブックは、冗長ではない第１レベル・コードブックＢ１と一致するのに適する。１のランクに対応する第２レベル・コードブック内の符号語の個数Ｎ２は、１６であり、４ビットが、インデックス・フィードバックのために採用され、ここで、ビーム選択および位相オフセット情報は、それぞれ４つのオプションを有し、これに関して、それぞれ、４ビットが、インデックス・フィードバックのために採用される。第２レベル・コードブックＢ２内の任意の符号語Ｗ２は、
【００７５】
【数１０】
0006339666.tif 000011
と表される。
【００７６】
実施形態２．３では、ブロック行列Ｘｎ内のビーム集合のサイズＣは、２であり、同一のＤＦＴビームが、偏波ごとに選択される、すなわち、第２の符号語Ｗ２の任意の列内のｙ１およびｙ２は、同一であり、そのような第２レベル・コードブックは、冗長ではない第１レベル・コードブックＢ１と一致するのに適する。１のランクに対応する第２レベル・コードブック内の符号語の個数Ｎ２は、８であり、３ビットが、インデックス・フィードバックのために採用され、ここで、ビーム選択は、２つのオプションを有し、これに関して、１ビットがインデックス・フィードバックのために採用され、位相オフセット情報は、４つのオプションを有し、これに関して、２ビットが、インデックス・フィードバックのために採用される。第２レベル・コードブックＢ２内の任意の符号語Ｗ２は、
【００７７】
【数１１】
0006339666.tif 000012
と表される。
【００７８】
実施形態２．４では、ブロック行列Ｘｎ内のビーム集合のサイズＣは、２であり、同一のまたは異なるＤＦＴビームが、偏波ごとに独立に選択される、すなわち、符号語Ｗ２の任意の列内のｙ１およびｙ２は、同一または異なるのいずれかである。１のランクに対応する第２レベル・コードブック内の符号語の個数Ｎ２は、１６であり、４ビットが、インデックス・フィードバックのために採用され、ここで、ビーム選択および位相オフセット情報は、それぞれ４つのオプションを有し、これに関して、それぞれ４ビットがインデックス・フィードバックのために採用される。第２レベル・コードブックＢ２内の任意の符号語Ｗ２は、
【００７９】
【数１２】
0006339666.tif 000013
と表される。
【００８０】
第２の符号語Ｗ２の２のランクを有する第２レベル・コードブックＢ２について、異なる偏波および異なるレイヤのビーム選択方法を、第１レベル・コードブックの構造に従って考慮しなければならない。２のランクを有する第２レベル・コードブックの解決策は、以下のように提供される。
【００８１】
実施形態３．１では、ブロック行列Ｘｎ内のビーム集合のサイズＣは、４であり、同一のまたは異なるＤＦＴビームが、偏波ごとに独立に選択され、ＤＦＴビームは、レイヤごとに選択され、そのような第２レベル・コードブックは、冗長ではない第１レベル・コードブックＢ１と一致するのに適する。２のランクに対応する第２レベル・コードブック内の符号語の個数Ｎ２は、１６であり、４ビットが、インデックス・フィードバックのために採用され、ここで、ビーム選択は、８つのオプションを有し、これに関して、３ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００８２】
【数１３】
0006339666.tif 000014
と表される。
【００８３】
実施形態３．２では、ブロック行列Ｘｎ内のビーム集合のサイズＣは、４であり、同一のまたは異なるＤＦＴビームが、レイヤごとに独立に選択され、同一のＤＦＴビームは、偏波ごとに選択され、そのような第２レベル・コードブックは、冗長ではない第１レベル・コードブックＢ１と一致するのに適する。２のランクに対応する第２レベル・コードブック内の符号語の個数Ｎ２は、１６であり、４ビットが、インデックス・フィードバックのために採用され、ここで、ビーム選択は、８つのオプションを有し、これに関して、３ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００８４】
【数１４】
0006339666.tif 000015
と表される。
【００８５】
実施形態３．３では、ブロック行列Ｘｎ内のビーム集合のサイズＣは、４であり、同一のまたは異なるＤＦＴビームが、偏波ごとおよびレイヤごとに独立に選択され、そのような第２レベル・コードブックは、冗長である第１レベル・コードブックＢ１と一致するのに適し、ブロック行列Ｘｎは、直交ＤＦＴビームを含まなければならない。２のランクに対応する第２レベル・コードブック内の符号語の個数Ｎ２は、１６であり、４ビットが、インデックス・フィードバックのために採用され、ここで、ビーム選択は、８つのオプションを有し、これに関して、３ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００８６】
【数１５】
0006339666.tif 000016
と表される。
【００８７】
実施形態３．４では、ブロック行列Ｘｎ内のビーム集合のサイズＣは、４であり、同一のまたは異なるＤＦＴビームが、偏波ごとに独立に選択され、ＤＦＴビームは、レイヤごとに選択され、そのような第２レベル・コードブックは、冗長である第１レベル・コードブックＢ１と一致するのに適する。２のランクに対応する第２レベル・コードブック内の符号語の個数Ｎ２は、８であり、３ビットが、インデックス・フィードバックのために採用され、ここで、ビーム選択は、４つのオプションを有し、これに関して、２ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００８８】
【数１６】
0006339666.tif 000017
と表される。
【００８９】
実施形態３．５では、ブロック行列Ｘｎ内のビーム集合のサイズＣは、４であり、同一のまたは異なるＤＦＴビームが、レイヤごとに独立に選択され、同一のＤＦＴビームが、偏波ごとに選択され、そのような第２レベル・コードブックは、冗長である第１レベル・コードブックＢ１と一致するのに適する。２のランクに対応する第２レベル・コードブック内の符号語の個数Ｎ２は、８であり、３ビットが、インデックス・フィードバックのために採用され、ここで、ビーム選択は、４つのオプションを有し、これに関して、２ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００９０】
【数１７】
0006339666.tif 000018
と表される。
【００９１】
実施形態３．６では、ブロック行列Ｘｎ内のビーム集合のサイズＣは、４であり、同一のＤＦＴビームが、偏波ごとに選択され、同一のＤＦＴビームが、レイヤごとに選択され、そのような第２レベル・コードブックは、冗長ではない第１レベル・コードブックＢ１と一致するのに適する。２のランクに対応する第２レベル・コードブック内の符号語の個数Ｎ２は、８であり、３ビットが、インデックス・フィードバックのために採用され、ここで、ビーム選択は、４つのオプションを有し、これに関して、２ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００９２】
【数１８】
0006339666.tif 000019
と表される。
【００９３】
実施形態３．７では、ブロック行列Ｘｎ内のビーム集合のサイズＣは、２であり、同一のまたは異なるＤＦＴビームが、偏波ごとに独立に選択され、同一のまたは異なるＤＦＴビームが、レイヤごとに独立に選択され、そのような第２レベル・コードブックは、冗長ではない第１レベル・コードブックＢ１と一致するのに適し、ブロック行列Ｘｎは、直交ＤＦＴビームを含まなければならない。２のランクに対応する第２レベル・コードブック内の符号語の個数Ｎ２は、１６であり、４ビットが、インデックス・フィードバックのために採用され、ここで、ビーム選択は、８つのオプションを有し、これに関して、３ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００９４】
【数１９】
0006339666.tif 000020
と表される。
【００９５】
実施形態３．８では、ブロック行列Ｘｎ内のビーム集合のサイズＣは、２であり、同一のまたは異なるＤＦＴビームが、偏波ごとに独立に選択され、同一のＤＦＴビームが、レイヤごとに選択され、そのような第２レベル・コードブックは、冗長ではない第１レベル・コードブックＢ１と一致するのに適する。２のランクに対応する第２レベル・コードブック内の符号語の個数Ｎ２は、８であり、３ビットが、インデックス・フィードバックのために採用され、ここで、ビーム選択は、４つのオプションを有し、これに関して、２ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００９６】
【数２０】
0006339666.tif 000021
と表される。
【００９７】
実施形態３．９では、ブロック行列Ｘｎ内のビーム集合のサイズＣは、２であり、同一のまたは異なるＤＦＴビームが、レイヤごとに独立に選択され、同一のＤＦＴビームが、偏波ごとに選択され、そのような第２レベル・コードブックは、冗長ではない第１レベル・コードブックＢ１と一致するのに適する。２のランクに対応する第２レベル・コードブック内の符号語の個数Ｎ２は、８であり、３ビットが、インデックス・フィードバックのために採用され、ここで、ビーム選択は、４つのオプションを有し、これに関して、２ビットがインデックス・フィードバックのために採用され、位相オフセット情報は、２つのオプションを有し、これに関して、１ビットがインデックス・フィードバックのために採用される。第２レベル・コードブックＢ２内の任意の符号語Ｗ２は、
【００９８】
【数２１】
0006339666.tif 000022
と表される。
【００９９】
いくつかの実施形態では、３のランクを有するコードブックおよび４のランクを有するコードブックは、同一の第１レベル・コードブックＢ１を採用し、複数のオプションのコードブック解決策が、以下のように提供される。
【０１００】
実施形態４．１では、１のランクまたは２のランクを有する第１レベル・コードブックは、まだ、３のランクまたは４のランクを有する適切な第１レベル・コードブックであり、これは、１６のビーム粒度Ｑ１に適切であるだけではなく、３２のビーム粒度Ｑ１にも適切である。やはり、４ビットが、インデックス・フィードバックのために採用される。
【０１０１】
実施形態４．２では、３のランクまたは４のランクを有する適切な第１レベル・コードブックは、１のランクまたは２のランクを有する適切な第１レベル・コードブックから選択された、たとえば実施形態１．１の第１レベル・コードブックから選択された、部分集合である。第１の符号語Ｗ１内の対角線上のブロック行列内のビーム集合のサイズＣは、４であり、ビーム粒度Ｑ１は、１６であり、ビーム選択は、（α１，ｎ，α２，ｎ，α３，ｎ，α４，ｎ）＝（ｎ，ｎ＋１，ｎ＋８，ｎ＋９）になるようにセットされ、ｎは、０、２、４、および６の中の値である。ビーム集合は、隣接ＤＦＴビームおよび直交ＤＦＴビームを含む。隣接ビームの間のビーム・ギャップは、２π／１６であり、直交ビームの間のギャップは、πである。ＤＦＴビームは、オーバーラップされず、第１レベル・コードブックは、冗長ではない。任意の符号語Ｗ１は、
【０１０２】
【数２２】
0006339666.tif 000023
と表される。
【０１０３】
実施形態４．３では、３のランクまたは４のランクを有する適切な第１レベル・コードブックは、１のランクまたは２のランクを有する適切な第１レベル・コードブックから選択された、たとえば実施形態１．２の第１レベル・コードブックから選択された、部分集合である。第１の符号語Ｗ１内の対角線上のブロック行列内のビーム集合のサイズＣは、４であり、ビーム粒度Ｑ１は、１６であり、ビーム選択は、（α１，ｎ，α２，ｎ，α３，ｎ，α４，ｎ）＝（ｎ，ｎ＋１，ｎ＋２，ｎ＋３）になるようにセットされ、ｎは、０、４、８、および１２の中の値である。ビーム集合は、隣接ＤＦＴビームを含み、隣接ビームの間のビーム・ギャップは、２π／１６である。ＤＦＴビームは、オーバーラップされず、第１レベル・コードブックは、冗長ではない。任意の符号語Ｗ１は、
【０１０４】
【数２３】
0006339666.tif 000024
と表される。
【０１０５】
実施形態４．４では、３のランクまたは４のランクを有する適切な第１レベル・コードブックが、もう一度設計され、１のランクまたは２のランクを有する適切な第１レベル・コードブックとは異なる。第１の符号語Ｗ１内の対角線上のブロック行列内のビーム集合のサイズＣは、４であり、ビーム粒度Ｑ１は、８であり、ビーム選択は、（α１，ｎ，α２，ｎ，α３，ｎ，α４，ｎ）＝（ｎ，ｎ＋１，ｎ＋４，ｎ＋５）になるようにセットされ、ｎは、０と３との間の値である。ビーム集合は、隣接ＤＦＴビームおよび直交ＤＦＴビームを含む。隣接ビームの間のビーム・ギャップは、２π／８であり、直交ビームの間のギャップは、７πである。２つのＤＦＴビームが、２つの隣接する符号語内でオーバーラップされ、繰り返す符号語は、Ｂ１内には存在しない。そのような第１レベル・コードブックは、冗長ではない。任意の符号語Ｗ１は、
【０１０６】
【数２４】
0006339666.tif 000025
と表される。
【０１０７】
実施形態５．１は、３のランクを有する第２レベル・コードブックＢ２に対応する設計である。ブロック行列Ｘｎ内のビーム集合のサイズＣは、４であり、同一のまたは異なるＤＦＴビームが、偏波ごとに独立に選択される。ブロック行列Ｘｎは、直交ＤＦＴビームを含まなければならない。第２レベル・コードブック内の符号語の個数Ｎ２は、１６であり、４ビットが、インデックス・フィードバックのために採用され、ここで、ビーム選択は、１６個のオプションを有し、これに関して、４ビットが、フィード・バックのために採用され、位相オフセット情報は、１つのオプションだけを有する。第２レベル・コードブックＢ２内の任意の符号語Ｗ２は、
【０１０８】
【数２５】
0006339666.tif 000026
と表される。
【０１０９】
実施形態５．２は、３のランクを有する第２レベル・コードブックＢ２に対応する設計である。ブロック行列Ｘｎ内のビーム集合のサイズＣは、４であり、同一のＤＦＴビームが、偏波ごとに選択される。ブロック行列Ｘｎは、直交ＤＦＴビームを含まなければならない。第２レベル・コードブック内の符号語の個数Ｎ２は、８であり、３ビットが、インデックス・フィードバックのために採用され、ここで、ビーム選択は、８つのオプションを有し、これに関して、３ビットが、フィード・バックのために採用され、位相オフセット情報は、１つのオプションだけを有する。第２レベル・コードブックＢ２内の任意の符号語Ｗ２は、
【０１１０】
【数２６】
0006339666.tif 000027
と表される。
【０１１１】
実施形態６．１は、４のランクを有する第２レベル・コードブックＢ２の設計に対応する。ブロック行列Ｘｎ内のビーム集合のサイズＣは、４であり、同一のまたは異なるＤＦＴビームが、偏波ごとに独立に選択される。ブロック行列Ｘｎは、直交ＤＦＴビームを含まなければならない。第２レベル・コードブック内の符号語の個数Ｎ２は、８であり、３ビットが、インデックス・フィードバックのために採用され、ここで、ビーム選択は、４つのオプションを有し、これに関して、２ビットが、フィード・バックのために採用され、位相オフセット情報は、２つのオプションを有し、これに関して、１ビットが、フィード・バックのために採用される。第２レベル・コードブックＢ２内の任意の符号語Ｗ２は、
【０１１２】
【数２７】
0006339666.tif 000028
と表される。
【０１１３】
前述の実施形態は、すべてが、限定的であるのではなく例示的である。前述の技術的解決策は、２レベル・コードブック・インデックス・フィードバックにおいて直交ＤＦＴビーム選択を導入し、したがって、４ダウンリンク送信アンテナの交差偏波構成のＭＩＭＯ応用により適切になる。もちろん、前述の技術的解決策は、送信アンテナの直線アレイ構成のＭＩＭＯ応用にも適切である。
【０１１４】
当業者は、前述のモジュールのいずれかの機能を、複数のエンティティ・モジュールまたは機能モジュールによって実行することができ、前述のモジュールの機能を、実行のために１つのエンティティ・モジュールまたは機能モジュールに統合することもできることを理解するであろう。
【０１１５】
本発明の異なる実施形態が、図示され、説明されたが、本発明は、これらの実施形態に限定されない。「第１」および「第２」などの序数は、対応する構成要素の間のいかなる特定の順序または接続関係を示すのではなく、区別の効果だけを有する。いくつかの請求項または実施形態だけに現れる技術的特徴は、新しい有益な技術的解決策を実装するために、これを他の請求項または実施形態の他の特徴と組み合わせることができないことを意味するものではない。特許請求の範囲で説明されるような本発明の趣旨および範囲から逸脱することなく、様々な修正、変更、変形、置換、および同等物が、当業者に明白である。
【図１】
0006339666.tif 000029
【図２】
0006339666.tif 000030
【図３】
0006339666.tif 000031
【図４】
0006339666.tif 000032
【図５】
0006339666.tif 000033